(57)【特許請求の範囲】
【請求項１】
コンタクト素子（４５、３４５）と、内側ハウジング（５０、５１）と、外側ハウジング（５５、５６）と、第１の封止要素（６０）と、第２の封止要素（６５）と、コンタクト固定手段（３１５）と、を少なくとも有するコンタクトデバイス（３５、４０）であって、
前記外側ハウジング（５５、５６）は第１の内部空間（８０）を画定しており、
前記内側ハウジング（５０、５１）は第２の内部空間（１０５）を画定しており、
前記内側ハウジング（５０、５１）は少なくとも部分的に前記第１の内部空間（８０）内に配置されており、
前記コンタクト素子（４５、３４５）は少なくとも部分的に前記第２の内部空間（１０５）内に配置されており、
前記第１の封止要素（６０）は、前記内側ハウジング（５０、５１）と前記外側ハウジング（５５、５６）との間に配置されており、前記第１の内部空間（８０）を前記コンタクトデバイス（３５、４０）の環境（２４５）から封止し、
前記第２の封止要素（６５）は、前記コンタクト素子（４５、３４５）と前記内側ハウジング（５０、５１）との間に配置されており、前記第２の内部空間（１０５）を前記コンタクトデバイス（３５、４０）の前記環境（２４５）から封止し、
前記コンタクト固定手段（３１５）は前記第１の内部空間（８０）内に配置されており、
前記コンタクト固定手段（３１５）の端面は前記内側ハウジング（５０、５１）上に載置されており、
前記コンタクト素子（４５）は外側に固定部（１２０）を備え、
前記固定部（１２０）は第２の凹部（３１０）とカラー（３４０）とを有し、
前記カラー（３４０）は長手側に前記第２の凹部（３１０）を画定しており、
前記コンタクト固定手段（３１５）は、第３の凹部（３３５）と、第４の凹部（３２０）と、係合部（３３０）を有するピン（３２７）と、を有し、
前記第３の凹部（３３５）と前記係合部（３３０）は互いに境界を接して配置されており、
前記内側ハウジング（５０、５１）は部分的に前記第４の凹部（３２０）を画定しており、
前記係合部（３３０）は前記第２の凹部（３１０）内および前記第４の凹部（３２０）内に係合し、
前記カラー（３４０）は前記第３の凹部（３３５）内に係合する、
コンタクトデバイス（３５、４０）。
【請求項２】
コンタクト素子（４５、３４５）と、内側ハウジング（５０、５１）と、外側ハウジング（５５、５６）と、第１の封止要素（６０）と、第２の封止要素（６５）と、緊張付与手段（２７５）と、を少なくとも有するコンタクトデバイス（３５、４０）であって、
前記外側ハウジング（５５、５６）は第１の内部空間（８０）を画定しており、
前記内側ハウジング（５０、５１）は第２の内部空間（１０５）を画定しており、
前記内側ハウジング（５０、５１）は少なくとも部分的に前記第１の内部空間（８０）内に配置されており、
前記コンタクト素子（４５、３４５）は少なくとも部分的に前記第２の内部空間（１０５）内に配置されており、
前記第１の封止要素（６０）は、前記内側ハウジング（５０、５１）と前記外側ハウジング（５５、５６）との間に配置されており、前記第１の内部空間（８０）を前記コンタクトデバイス（３５、４０）の環境（２４５）から封止し、
前記第２の封止要素（６５）は、前記コンタクト素子（４５、３４５）と前記内側ハウジング（５０、５１）との間に配置されており、前記第２の内部空間（１０５）を前記コンタクトデバイス（３５、４０）の前記環境（２４５）から封止し、
前記外側ハウジング（５５、５６）は第１の担持表面（２６５）を有し、
前記内側ハウジング（５０、５１）は第２の担持表面（２７０）を有し、
前記緊張付与手段（２７５）は前記第１の担持表面（２６５）と前記第２の担持表面（２７０）とを互いに対して押し付けるように形成されており、
前記緊張付与手段（２７５）は、前記内側ハウジング（５０、５１）の外側に配置されており、前記第２の担持表面（２７０）を前記第１の担持表面（２６５）に対して押し付け、
前記第１の担持表面（２６５）および前記第２の担持表面（２７０）は、長手方向において前記第１の封止要素（６０）と前記第２の封止要素（６５）との間に配置されており、
前記緊張付与手段（２７５）は肉厚部（２８０）として形成されている、
コンタクトデバイス（３５、４０）。
【請求項３】
コンタクト素子（４５、３４５）と、内側ハウジング（５０、５１）と、外側ハウジング（５５、５６）と、第１の封止要素（６０）と、第２の封止要素（６５）と、ガイド手段（２５０）と、を少なくとも有するコンタクトデバイス（３５、４０）であって、
前記外側ハウジング（５５、５６）は第１の内部空間（８０）を画定しており、
前記内側ハウジング（５０、５１）は第２の内部空間（１０５）を画定しており、
前記内側ハウジング（５０、５１）は少なくとも部分的に前記第１の内部空間（８０）内に配置されており、
前記コンタクト素子（４５、３４５）は少なくとも部分的に前記第２の内部空間（１０５）内に配置されており、
前記第１の封止要素（６０）は、前記内側ハウジング（５０、５１）と前記外側ハウジング（５５、５６）との間に配置されており、前記第１の内部空間（８０）を前記コンタクトデバイス（３５、４０）の環境（２４５）から封止し、
前記第２の封止要素（６５）は、前記コンタクト素子（４５、３４５）と前記内側ハウジング（５０、５１）との間に配置されており、前記第２の内部空間（１０５）を前記コンタクトデバイス（３５、４０）の前記環境（２４５）から封止し、
前記ガイド手段（２５０）は、長手方向に延在する少なくとも１つのガイドレール（２５５）と、長手方向に延在する１つのガイドレセプタクル（２６０）と、を有し、
前記ガイドレール（２５５）および前記ガイドレセプタクル（２６０）は互いに係合し、
前記ガイドレセプタクル（２６０）は前記外側ハウジング（５５、５６）の内側に配置されており、前記ガイドレール（２５５）は前記内側ハウジング（５０、５１）の外側に配置されている、
および／または
前記ガイドレセプタクル（２６０）は前記内側ハウジング（５０、５１）の外側に配置されており、前記ガイドレール（２５５）は前記外側ハウジング（５５、５６）の内側に配置されている、
コンタクトデバイス（３５、４０）。
【請求項４】
コンタクト素子（４５、３４５）と、内側ハウジング（５０、５１）と、外側ハウジング（５５、５６）と、第１の封止要素（６０）と、第２の封止要素（６５）と、コード化手段（３１１）と、を少なくとも有するコンタクトデバイス（３５、４０）であって、
前記外側ハウジング（５５、５６）は第１の内部空間（８０）を画定しており、
前記内側ハウジング（５０、５１）は第２の内部空間（１０５）を画定しており、
前記内側ハウジング（５０、５１）は少なくとも部分的に前記第１の内部空間（８０）内に配置されており、
前記コンタクト素子（４５、３４５）は少なくとも部分的に前記第２の内部空間（１０５）内に配置されており、
前記第１の封止要素（６０）は、前記内側ハウジング（５０、５１）と前記外側ハウジング（５５、５６）との間に配置されており、前記第１の内部空間（８０）を前記コンタクトデバイス（３５、４０）の環境（２４５）から封止し、
前記第２の封止要素（６５）は、前記コンタクト素子（４５、３４５）と前記内側ハウジング（５０、５１）との間に配置されており、前記第２の内部空間（１０５）を前記コンタクトデバイス（３５、４０）の前記環境（２４５）から封止し、
前記コード化手段（３１１）は長手方向に延在するコード化レール（３１２）を有し、
前記コード化レール（３１２）は前記外側ハウジング（５５、５６）の外側に配置されている、
コンタクトデバイス（３５、４０）。
【請求項５】
前記内側ハウジング（５０、５１）は外周面（１３５）に第１の封止レセプタクル（１４０）を有し、
前記第１の封止要素（６０）は前記第１の封止レセプタクル（１４０）内に配置されており、
前記第１の封止レセプタクル（１４０）は前記外側ハウジング（５５、５６）に面する側が開口しており、
前記外側ハウジング（５５、５６）は前記第１の封止レセプタクル（１４０）の外側に配置されている、
請求項１〜４のいずれか一項に記載のコンタクトデバイス（３５、４０）。
【請求項６】
前記内側ハウジング（５０、５１）は、第１のハウジング部分（１４５）と、第２のハウジング部分（１５０）と、第１のウエブ（１５５）と、第２のウエブ（１５６）と、を有し、
前記第１のハウジング部分（１４５）は、長手方向において前記第２のハウジング部分（１５０）と境界を接しており、
前記第１のウエブ（１５５）および前記第２のウエブ（１５６）は、前記第１のハウジング部分（１４５）から長手方向にずらされて配置されており、
前記第１のハウジング部分（１４５）は横断方向において前記第２のハウジング部分（１５０）よりも幅広く形成されており、
前記第１のウエブ（１５５）および前記第２のウエブ（１５６）は前記第２のハウジング部分（１５０）に配置されており、
前記第１のウエブ（１５５）の長手方向の第１の側にある第１の側面（１６５）、および前記第２のウエブ（１５６）の長手方向の第２の側にある第２の側面（１７０）が、前記第１の封止レセプタクル（１４０）を画定している、
請求項５に記載のコンタクトデバイス（３５、４０）。
【請求項７】
第２の封止レセプタクル（１７５）が提供されており、
前記第２の封止要素（６５）は前記第２の封止レセプタクル（１７５）内に配置されており、
前記第２の封止レセプタクル（１７５）は前記外側ハウジング（５５、５６）から離れる方に面する側が開口しており、
前記第２の封止要素（６５）は通し孔（２３０）を有し、
前記コンタクト素子（４５）は前記通し孔（２３０）を通って係合する、
請求項１から６のいずれか一項に記載のコンタクトデバイス（３５、４０）。
【請求項８】
前記第２の封止レセプタクル（１７５）は、長手方向に関して、長手方向の第１の側で前記内側ハウジング（５０、５１）の第１の肩部（１６０）によって、および長手方向の第２の側で前記外側ハウジング（５５、５６）の第３の側面（２００）によって、画定されており、
前記第２の封止レセプタクル（１７５）は、前記内側ハウジング（５０，５１）の第１の内周面（１８０）によって横断方向に画定されている、
請求項７に記載のコンタクトデバイス（３５、４０）。
【請求項９】
前記第３の側面（２００）は前記外側ハウジング（５５、５６）の突出部（１９５）に配置されており、
前記外側ハウジング（５５、５６）は、前記突出部（１９５）と前記外側ハウジング（５５、５６）の第２の内周面（２０６）との間にレセプタクル（２２０）を備え、
前記内側ハウジング（５０、５１）は前記レセプタクル（２２０）内に係合する、
請求項８に記載のコンタクトデバイス（３５、４０）。
【請求項１０】
前記外側ハウジング（５５、５６）は第３の肩部（１９０）を有し、
前記第３の肩部（１９０）は、長手方向において前記第１の封止要素（６０）と前記第２の封止要素（６５）との間に配置されており、
前記第３の肩部（１９０）は停止表面（２２５）を有し、
前記停止表面（２２５）は、長手方向において前記第１の封止要素（６０）に面する側に配置されており、
前記停止表面（２２５）は、前記コンタクトデバイス（３５）に対する更なるコンタクトデバイス（４０）の端部位置を定めるように形成されている、
請求項１から９のいずれか一項に記載のコンタクトデバイス（３５、４０）。
【請求項１１】
コンタクト固定手段（２８５）が提供されており、
前記コンタクト固定手段（２８５）は、ピン（２９０）と、第１の凹部（２９５）と、第２の凹部（３１０）と、を有し、
前記第１の凹部（２９５）は前記内側ハウジング（５０、５１）内に配置されており、
前記コンタクト素子（４５）は外側に固定部（１２０）を備え、
前記固定部（１２０）は前記第２の凹部（３１０）を有し、
前記コンタクト素子（４５）の前記第２の凹部（３１０）は、前記第１の凹部（２９５）と長手方向において重なるように配置されており、
前記ピン（２９０）は、前記第１の凹部（２９５）および前記第２の凹部（３１０）内に係合し、前記内側ハウジング（５０、５１）を前記コンタクト素子（４５）に形状嵌めで接続する、
請求項１から１０のいずれか一項に記載のコンタクトデバイス（３５、４０）。
【請求項１２】
少なくとも１つの封止プラグ（４６、３４６）を有し、
前記封止プラグ（４６、３４６）は部分的に前記コンタクト素子（４５、３４５）と同一の外形を有し、
前記封止プラグ（４６、３４６）は前記第２の内部空間（１０５）を環境（２４５）から遮断する、
請求項１から１１のいずれか一項に記載のコンタクトデバイス（３５、４０）。
【請求項１３】
コンタクトデバイス（３５）と更なるコンタクトデバイス（４０）とを有し、
前記コンタクトデバイス（３５）は請求項１から１２のいずれか一項に従って形成されており、
前記更なるコンタクトデバイス（４０）は外側ハウジング（５６）を備え、
前記更なるコンタクトデバイス（４０）の前記外側ハウジング（５６）は、部分的に前記第１の内部空間（８０）を画定しており、
前記更なるコンタクトデバイス（４０）の前記外側ハウジング（５６）はハウジング係合部（７６）を備え、
前記ハウジング係合部（７６）は前記コンタクトデバイス（３５）の前記外側ハウジング（５５）内に係合し、
前記ハウジング係合部（７６）は、前記第１の封止要素（６０）と前記コンタクトデバイス（３５）の前記外側ハウジング（５５）との間に配置されており、
前記更なるコンタクトデバイス（４０）は請求項１から１２のいずれか一項に従って形成されている、
コンタクトシステム（１０）。
【請求項１４】
請求項１３に記載の前記コンタクト固定手段（３１５）は、前記コンタクトデバイス（３５）の前記内側ハウジング（５０）と前記更なるコンタクトデバイス（４０）の前記内側ハウジング（５１）との間に配置されており、
前記コンタクト固定手段（３１５）は、前記コンタクトデバイス（３５）の前記内側ハウジング（５０）と前記更なるコンタクトデバイス（４０）の前記内側ハウジング（５１）との間に所定の距離を定めるように形成されている、
請求項１３に記載のコンタクトシステム（１０）。
【発明の詳細な説明】
【技術分野】
【０００１】
本発明は、コンタクトデバイスおよびコンタクトシステムに関する。
【背景技術】
【０００２】
コンタクトデバイスを有する多くの異なる構成の封止コンタクトシステムが知られており、コンタクトデバイスの内部空間は、コンタクトシステムの環境から封止されている。
【発明の概要】
【発明が解決しようとする課題】
【０００３】
本発明の課題は、改善されたコンタクトデバイスおよび改善されたコンタクトシステムを提供することである。
【課題を解決するための手段】
【０００４】
この課題は、請求項１に記載のコンタクトデバイスによっておよび請求項１４に記載のコンタクトシステムによって解決される。従属請求項には、好ましい実施形態が記載されている。
【０００５】
コンタクト素子と、内側ハウジングと、外側ハウジングと、第１の封止要素と、第２の封止要素と、を少なくとも備えるコンタクトデバイスによって、改善されたコンタクトデバイスを提供できると理解されている。外側ハウジングは、第１の内部空間を画定している。内側ハウジングは、第２の内部空間を画定している。内側ハウジングは、少なくとも部分的に第１の内部空間内に配置される。コンタクト素子は、少なくとも部分的に第２の内部空間内に配置される。第１の封止要素は、内側ハウジングと外側ハウジングとの間に配置され、第１の内部空間をコンタクトデバイスの環境から封止する。第２の封止要素は、コンタクト素子と内側ハウジングとの間に配置される。第２の封止要素は、第２の内部空間をコンタクトデバイスの環境から封止する。
【０００６】
この構成は、コンタクトデバイスによって、内部空間が環境から特に確実に封止される、という利点を有する。更に、このコンタクトデバイスはその構成要素の数が特に少なく、組み付けが特に容易である。更に、単純な構成の機械工具を用いた自動化された組み付けが可能である。
【０００７】
更なる実施形態では、内側ハウジングは、外周面に第１の封止レセプタクルを有する。第１の封止要素は、第１の封止レセプタクル内に配置される。第１の封止レセプタクルは、外側ハウジングに面する側が開口している。外側ハウジングは第１の封止レセプタクルの外側に配置される。
【０００８】
更なる実施形態では、内側ハウジングは、第１のハウジング部分と、第２のハウジング部分と、第１のウエブおよび第２のウエブと、を有する。第１のハウジング部分は、長手方向において第２のハウジング部分と境界を接している。第１のウエブおよび第２のウエブは、第１のハウジング部分から長手方向にずらされて配置される。第１のハウジング部分は、横断方向において第２のハウジング部分よりも幅広く形成される。第１のウエブおよび第２のウエブは、第２のハウジング部分に配置される。第１の封止レセプタクルは、長手方向の第１の側にある第１の側面を有する第１のウエブによって、および、長手方向の第２の側にある第２の側面を有する第２のウエブによって、画定される。
【０００９】
更なる実施形態では、第２の封止レセプタクルが提供され、第２の封止要素は第２の封止レセプタクル内に配置され、第２の封止要素は通し孔を有し、コンタクト素子はこの通し孔を通って係合する。第２の封止レセプタクルは、外側ハウジングから離れる方に面する側が開口している。
【００１０】
更なる実施形態では、第２の封止レセプタクルは、長手方向に関して、長手方向の第１の側で内側ハウジングの第１の肩部によって、および長手方向の第２の側で外側ハウジングの第３の側面によって、画定されている。第２の封止レセプタクルは、内側ハウジングの第１の内周面によって横断方向に画定される。
【００１１】
更なる実施形態では、第３の側面は、外側ハウジングの突出部に配置される。外側ハウジングは、突出部と外側ハウジングの第２の内周面との間にレセプタクルを備える。内側ハウジングはレセプタクル内に係合する。
【００１２】
更なる実施形態では、外側ハウジングは第３の肩部を有する。第３の肩部は長手方向において第１の封止要素と第２の封止要素との間に配置され、第３の肩部は停止表面を有し、停止表面は、長手方向において第１の封止要素に面する側に配置される。停止表面は、コンタクトデバイスに対する更なるコンタクトデバイスの端部位置を定めるように形成される。
【００１３】
更なる実施形態では、コンタクト固定手段が提供され、コンタクト固定手段はピンと第１の凹部および第２の凹部とを有し、第１の凹部は内側ハウジング内に配置される。コンタクト素子は外側に固定部を有し、固定部は第２の凹部を有する。コンタクト素子の第２の凹部は、第１の凹部と長手方向において重なるように配置される。ピンは第１の凹部および第２の凹部内に係合し、内側ハウジングをコンタクト素子に形状嵌めで接続する。
【００１４】
更なる実施形態では、コンタクトデバイスはコンタクト固定手段を有し、コンタクト固定手段は第１の内部空間内に配置され、上記コンタクト固定手段の端面は内側ハウジング上に載置され、コンタクト素子は外側に固定部を備え、固定部は第２の凹部とカラーとを有し、カラーは長手側に第２の凹部を画定しており、コンタクト固定手段は、第３の凹部および第４の凹部と係合部を有するピンとを有し、第３の凹部および係合部は互いに境界を接して配置され、内側ハウジングは第４の凹部を部分的に画定しており、係合部は第２の凹部内および第４の凹部内に係合し、カラーは第３の凹部内に係合する。
【００１５】
更なる実施形態では、外側ハウジングは第１の担持表面を有し、内側ハウジングは第２の担持表面を有する。更に、コンタクトデバイスは緊張付与手段を備える。緊張付与手段は、第１の担持表面と第２の担持表面とを互いに対して押し付けるように形成される。好ましくは、緊張付与手段は内側ハウジングの外側に配置され、第２の担持表面を第１の担持表面に対して押し付ける。有利には、第１の担持表面および第２の担持表面は、長手方向において第１の封止要素と第２の封止要素との間に配置される。緊張付与手段は好ましくは、肉厚部として形成される。
【００１６】
更なる実施形態では、ガイド手段が提供され、上記ガイド手段は、長手方向に延在する少なくとも１つのガイドレールと長手方向に延在する１つのガイドレセプタクルとを有し、これらのガイドレールおよびガイドレセプタクルは互いに係合する。ガイドレセプタクルは外側ハウジングの内側に配置され、ガイドレールは内側ハウジングの外側に配置される。加えてまたは別法として、ガイドレセプタクルを内側ハウジングの外側に配置することもでき、ガイドレールを外側ハウジングの内側に配置することができる。
【００１７】
更なる実施形態では、コンタクトデバイスはコード化手段を有し、コード化手段は長手方向に延在するコード化レールを有し、コード化レールは外側ハウジングの外側に配置され、コード化レールは更なるコンタクトデバイスのコード化レセプタクル内に係合するように、および更なるコンタクトデバイスを長手方向に導くように、およびコンタクトデバイスの極性が反対になるのを防止するように、形成される。
【００１８】
更なる実施形態では、コンタクトデバイスは少なくとも１つの封止プラグを有し、上記封止プラグは部分的にコンタクト素子と同一の外形を有し、上記封止プラグは第２の内部空間を環境から遮断する。
【００１９】
更なる実施形態では、コンタクトシステムは、コンタクトデバイスと更なるコンタクトデバイスとを有し、コンタクトデバイスは上述したように形成され、更なるコンタクトデバイスは外側ハウジングを有し、更なるコンタクトデバイスの外側ハウジングは第１の内部空間を部分的に画定しており、更なるコンタクトデバイスの外側ハウジングはハウジング係合部を備え、ハウジング係合部はコンタクトデバイスの外側ハウジング内に係合し、ハウジング係合部は第１の封止要素とコンタクトデバイスの外側ハウジングとの間に配置される。更なるコンタクトデバイスは、好ましくは上述したのと全く同じように形成される。
【００２０】
更なる実施形態では、コンタクト固定手段は、コンタクトデバイスの内側ハウジングと更なるコンタクトデバイスの内側ハウジングとの間に配置され、上記コンタクト固定手段は、コンタクトデバイスの内側ハウジングと更なるコンタクトデバイスの内側ハウジングとの間に所定の距離を定めるように形成される。
【００２１】
本発明について、図を参照して以下でより詳細に説明する。
【図面の簡単な説明】
【００２２】
【図１】コンタクトシステムの斜視図である。
【図２】図１に示すコンタクトシステムの分解図である。
【図３】図１および図２に示すコンタクトシステムを通る、長手方向透視断面図である。
【図４】コンタクトシステムを通る、図３に示す長手断面の第１の切断図である。
【図５】図４に示す切断面Ａ−Ａに沿った、図４に示すコンタクトシステムを通る断面図である。
【図６】図４に示す切断面Ｂ−Ｂに沿った、図４に示すコンタクトシステムを通る断面図である。
【図７】コンタクトシステムを通る、図３に示す長手断面の第２の切断図である。
【図８】図７に示す切断面Ｃ−Ｃに沿った、図７に示すコンタクトシステムを通る断面図である。
【発明を実施するための形態】
【００２３】
以下の図では、座標系５が参照される。座標系５は、例として右手系（ｒｉｇｈｔ−ｈａｎｄｅｄ  ｔｒｉｈｅｄｒｏｎ）として形成され、ｘ軸、ｙ軸、およびｚ軸を有する。ｘ軸は長手方向に延びている。ｙ軸は横断方向に、ｚ軸は垂直方向に延びている。当然ながら、座標系５を別様に形成することもできる。
【００２４】
図１はコンタクトシステム１０の斜視図である。
【００２５】
コンタクトシステム１０は、第１の導電体１５と第２の導電体２０の間に電気接続を提供するように形成される。
【００２６】
第１の導電体１５および第２の導電体２０は、この実施形態では例として複数の導体ストランド２５、３０を有し、この場合、この実施形態では、導体ストランド２５、３０の各々は、たとえば、第１の導電体と第１の導電体と同軸に配置される第２の導電体とを有する、同軸導体として形成される。この実施形態では、導電体１５、２０はそれぞれ、例として４つの導体ストランド２５、３０を有する。当然ながら、コンタクトシステム１０によって互いに電気接続される、異なる数の導体ストランド２５、３０を提供することもできる。導体ストランド２５、３０はまた、別様に形成すること、およびたとえばただ１つの導電体を備えることもできる。
【００２７】
コンタクトシステム１０は、第１のコンタクトデバイス３５と第２のコンタクトデバイス４０とを有する。第１のコンタクトデバイス３５は、第１の導電体１５に接続される。第２のコンタクトデバイス４０は、第２の導電体２０に接続される。
【００２８】
図２は、図１に示すコンタクトシステム１０の分解図を示す。
【００２９】
第１のコンタクトデバイス３５は少なくとも、第１のコンタクト素子４５と、内側ハウジング５０と、外側ハウジング５５と、第１の封止要素６０と、第２の封止要素６５と、を有する。更に、第１のコンタクトデバイス３５は、例として、第１のコンタクト固定手段２８５を有する。
【００３０】
第２のコンタクトデバイス４０は、図７および図８で言及されている小さな違いを別として、その構造上の特徴が第１のコンタクトデバイス３５と実質的に同一に形成され、第２のコンタクト素子３４５と、内側ハウジング５１と、外側ハウジング５６と、第１の封止要素６０と、第２の封止要素６５と、を有する。更に、第２のコンタクトデバイス４０は、例として、第２のコンタクト固定手段３１５を有する。第２のコンタクトデバイス４０および第１のコンタクトデバイス３５の幾何学的構成は互いに調和している。
【００３１】
図３は、図１に示すコンタクトシステム１０を通る、長手方向透視断面図を示す。
【００３２】
第１のコンタクト素子４５は第１の同軸コンタクト素子として形成され、例として、第１のプラグコンタクト７０と第１のブッシングコンタクト７５とを有する。この場合、第１のプラグコンタクト７０は、第１のブッシングコンタクト７５と同軸に配置される。当然ながら、第１のコンタクト素子を別様に形成することも考えられる。
【００３３】
この実施形態では、例として各第１の導体ストランド２５のそれぞれに対して第１のコンタクト素子４５が提供され、第１のコンタクト素子４５は第１の導体ストランド２５に電気接続される。これに対応して、この実施形態では例として、４つの第１のコンタクト素子４５が提供され、これらは同じ間隔で、例として互いに対して横断方向にずらされ、かつ垂直方向に互いから間隔を空けて配置される。この場合、例として、２つの第１のコンタクト素子４５が、共通のｘｙ平面内にそれぞれ配置される。当然ながら、これらの第１のコンタクト素子４５が、ある共通の平面内に配置されることも考えられる。
【００３４】
更に、第２のコンタクトデバイス４０は、全ての第２の導体ストランド３０に対して、第１のコンタクト素子４５の代わりに第２のコンタクト素子３４５を有する。第２のコンタクト素子３４５は、第１のコンタクト素子４５と同様に形成される。第２のコンタクト素子３４５は、第２のブッシングコンタクト３５０と第２のプラグコンタクト３５５とを有する。第２のブッシングコンタクト３５０は、第２のプラグコンタクト３５５と同軸に配置される。第２のブッシングコンタクト３５０および第１のプラグコンタクト７０は、互いに係合する。第２のプラグコンタクト３５５は、第１のブッシングコンタクト７５内に係合する。結果として、第１のコンタクト素子４５と第２のコンタクト素子３４５との間の確実な電気接続が保証される。
【００３５】
組み付けられた状態では、第２のコンタクトデバイス４０の外側ハウジング５６は、第１のコンタクトデバイス３５の外側ハウジング５５内に係合する。この場合、第２のコンタクトデバイス４０の外側ハウジング５６は、第１のコンタクトデバイス３５の外側ハウジング５５と第１の封止要素６０との間の外側に配置される。
【００３６】
第２のコンタクトデバイス４０の外側ハウジング５６は、ハウジング係合部７６を有する。ハウジング係合部７６は、第１のコンタクトデバイス３５の外側ハウジング５５内に係合する。外側ハウジング５５、５６は、第１の内部空間８０を画定している。内側ハウジング５０、５１は、第１の内部空間８０内に配置される。内側ハウジング５０、５１は、第２の内部空間１０５を画定している。
【００３７】
第１のコンタクトデバイス３５の第１の封止要素６０は、第１のコンタクトデバイス３５の内側ハウジング５０と第２のコンタクトデバイス４０の外側ハウジング５６との間に配置され、第１の内部空間８０を環境２４５から封止する。第２のコンタクトデバイス４０の第１の封止要素６０は、第２のコンタクトデバイス４０の内側ハウジング５１と第２のコンタクトデバイス４０の外側ハウジング５６との間に配置され、および第１の内部空間８０を環境２４５から封止する。２つのコンタクトデバイス３５、４０の第２の封止要素６５は、それぞれのコンタクト素子４５、３４５および内側ハウジング５０、５１における第２の内部空間１０５を、環境２４５から確実に封止する。
【００３８】
図４は、第１のコンタクトデバイス３５を、コンタクトシステム１０を通る図３に示す長手断面の第１の切断図で示す。分かりやすくするために、続く図ではコンタクト素子４５、３４５の代わりに、封止プラグ４６、３４６が部分的に示されている。封止プラグ４６、３４６およびコンタクト素子４５、３４５は、外側の幾何形状が実質的に同一である。以下に記載するコンタクト素子４５、３４５に関する特徴は、封止プラグ４６、３４６にも当てはまるが、封止プラグ４６、３４６は、電気接続を提供せず、かつ互いに係合しない。封止プラグ４６、３４６は、コンタクトデバイス３５、４０を環境２４５から遮断し、第２の内部空間１０５を環境２４５から封止する。封止プラグ４６、３４６は、その材料としてプラスチックを有する。
【００３９】
第１のコンタクトデバイス３５の外側ハウジング５５は、例として、矩形の断面を実質的に有する。更に、第１のコンタクトデバイス３５の外側ハウジング５５は、第１の長手方向端部に第１の開口部９０を、および第２の長手方向端部に第２の開口部９５を有する。第１の開口部９０は、コンタクト素子４５、３４５の接続部１００の外側の幾何学的構成に対応して形成される。接続部１００は、一方側では関連付けられた導電体１５、２０に接続され、他方側ではコンタクト素子４５、３４５の固定部１２０に接続される。固定部１２０は、コンタクト素子４５、３４５の外側に配置される。更に、接続部１００は、第１の開口部９０を通って係合する。第２の開口部９５は、長手方向において第１の開口部９０と反対側に配置される。第１のコンタクトデバイス３５の外側ハウジング５５の第２の開口部９５内で、外側ハウジング５６は、第２のコンタクトデバイス４０内で係合する。
【００４０】
第２の内部空間１０５は、第１の内部空間部１１０と少なくとも１つの第２の内部空間部１１５とを有する。
【００４１】
第２の内部空間部１１５は、部屋のように形成される。コンタクト素子４５、３４５の固定部１２０は、第２の内部空間部１１５内に配置される。例として、第２の内部空間部１１５は円筒状に形成される。第２の内部空間部１１５は、第１の開口部９０に面する側で、第１の内部空間部１１０内の内側ハウジング５０の第３の開口部１２５において開口している。第１のコンタクト素子４５は、第３の開口部１２５を通って係合する。
【００４２】
第１の内部空間部１１０は、横断方向において第２の内部空間部１１５よりも幅広く形成され、この結果、第１の内部空間部１１０において、第１の内部空間部１１０の長手側で複数の第２の内部空間部１１５が開口できるようになっている。第１のコンタクトデバイス３５の内側ハウジング５０は、長手方向において第１の内部空間部１１０と反対の側に第４の開口部１３０を有し、この第４の開口部において、第２の内部空間部１１５が同様に開口している。第２のコンタクト素子３４５は、第４の開口部１３０を通って係合する。
【００４３】
第１のコンタクトデバイス３５の内側ハウジング５０は、第１の外周面１３５に第１の封止レセプタクル１４０を有する。第１の封止レセプタクル１４０は、コンタクトデバイス３５、４０の外側ハウジング５５、５６に向かって外向きに開口しており、好ましくは長手断面において矩形の断面を有する。第１の封止レセプタクル１４０は、内側ハウジング５０の周囲に円周方向に配置される。第１の封止要素６０は、第１の封止レセプタクル１４０内に配置される。第２のコンタクトデバイス４０の外側ハウジング５６は、長手方向において第１の封止要素６０のレベルで外側に配置され、第１のコンタクトデバイス３５の外側ハウジング５５は、第２のコンタクトデバイス４０の外側ハウジング５６の外側に配置される。
【００４４】
第１のコンタクトデバイス３５の内側ハウジング５０は、第１のハウジング部分１４５と、第２のハウジング部分１５０と、第１のウエブ１５５と、第２のウエブ１５６と、を有する。
【００４５】
第１のハウジング部分１４５および第２のハウジング部分１５０は、長手方向に延在する。第１のハウジング部分１４５は、長手方向において第２のハウジング部分１５０と境界を接している。第１のハウジング部分１４５は、横断方向において第２のハウジング部分１５０よりも幅広く形成される。この場合、肩部表面１６１を有する第１の肩部１６０は、第１のハウジング部分１４５と第２のハウジング部分１５０との間の移行部に配置される。肩部表面１６１は例として、ｙｚ平面内に延在する。
【００４６】
第１のウエブ１５５および第２のウエブ１５６は、第１の肩部１６０に対しておよび第１のハウジング部分１４５に対して、長手方向にずらされて配置される。この場合、第２のウエブ１５６は、第１の肩部１６０と第１のウエブ１５５との間の第２のハウジング部分１５０の外側に配置される。更に、第１のウエブ１５５は、第２のハウジング部分１５０の外側に配置される。
【００４７】
この実施形態では、第１のウエブ１５５および第２のウエブ１５６は、第１のコンタクトデバイス３５の内側ハウジング５０の第１の外周面１３５に円周方向に配置される。当然ながら、第１のウエブ１５５および／または第２のウエブ１５６は、断続的なものとすることもできる。
【００４８】
例として、第１のウエブ１５５は、横断方向において第２のウエブ１５６よりも短く形成される。当然ながら、第１のウエブ１５５はまた、第２のウエブ１５６よりも幅広く形成するかまたはこれと同じ幅とすることもできる。
【００４９】
第１のウエブ１５５は、第１の側面１６５を有する第１の長手方向端部に第１の封止レセプタクル１４０を画定しており、第２のウエブ１５６は、第２の側面１７０を有する第２の長手方向端部に第１の封止レセプタクル１４０を画定している。第１の側面１６５および第２の側面１７０は、例としてこの実施形態では互いと平行に配置され、かつ例として、第１の封止レセプタクル１４０において第１の外周面１３５に対して垂直である。更に、第１のおよび第２の側面１６５、１７０は各々、ｙｚ平面内に延在している。更に、第１の封止レセプタクル１４０は、第２のハウジング部分１５０の第１の外周面１３５によって、横断方向および垂直方向に画定されている。第１の封止レセプタクル１４０の外側は、第２のコンタクトデバイス４０の外側ハウジング５６によって画定されている。
【００５０】
コンタクトデバイス３５、４０は更に、第２の封止レセプタクル１７５を有する。第２の封止要素６５は、第２の封止レセプタクル１７５内に配置される。第２の封止レセプタクル１７５の外側は、第１のハウジング部分１４５の第１の内周面１８０によって画定されている。第１の肩部１６０によって、第２の封止レセプタクル１７５の第１の長手方向端部が画定される。
【００５１】
第１のコンタクトデバイス３５の外側ハウジング５５は階段状に形成され、第２の肩部１８５と第３の肩部１９０とを有する。更に、外側ハウジング５５は、第１の外側ハウジング部分２０５と、第２の外側ハウジング部分２１０と、第３の外側ハウジング部分２１５と、を有する。第２の肩部１８５は、第１の外側ハウジング部分２０５と第２の外側ハウジング部分２１０との間に配置される。第３の肩部１９０は、第２の外側ハウジング部分２１０と第３の外側ハウジング部分２１５との間に配置される。
【００５２】
第１の外側ハウジング部分２０５は、第２の外側ハウジング部分２１０よりも横断方向の広がりが小さい。第２の外側ハウジング部分２１０は、第３の外側ハウジング部分２１５よりも横断方向の広がりが短い。
【００５３】
第３の肩部１９０は、第２の肩部１８５に対して長手方向にずらされて配置される。この場合、第２の肩部１８５は、第１のコンタクトデバイス３５の外側ハウジング５５の第１の開口部９０と境界を接している。第２の肩部１８５の、長手方向において第２の封止レセプタクル１７５に面する側に、突出部１９５が設けられている。突出部１９５には第３の側面２００が配置される。突出部１９５は、横断方向において、第１のコンタクトデバイス３５の内側ハウジング５０の第１の肩部１６０と同じレベルに配置される。第３の側面２００は好ましくは、肩部表面１６１と平行に整列される。第３の側面２００は、第２の封止レセプタクル１７５の第２の長手方向端部を画定している。
【００５４】
第２の肩部１８５において、突出部１９５と第２の外側ハウジング部分２１０との間に、レセプタクル２２０が設けられる。レセプタクル２２０は、外側を第２の外側ハウジング部分２１０の第２の内周面２０６によって、および内側を突出部１９５によって、画定されている。レセプタクル２２０は、長手方向において第２の肩部１８５によって画定されている。第１のコンタクトデバイス３５の組み付けられた状態では、第１の外側ハウジング部分２０５から離れる方に面する側にある、第１のコンタクトデバイス３５の内側ハウジング５０の第１のハウジング部分１４５の端面は、レセプタクル２２０内に係合する。
【００５５】
第３の肩部１９０は、長手方向において第１の封止要素６０と第２の封止要素６５との間に配置される。第３の肩部１９０は例として、実質的に長手方向において第２のウエブ１５６のレベルに配置される。この場合、第３の肩部１９０は停止表面２２５を有する。停止表面２２５は、第３の肩部１９０の、長手方向において第１の封止要素６０に面する側に配置される。第２のコンタクトデバイス４０の外側ハウジング５６の端面２２６は、第１のコンタクトデバイス３５の停止表面２２５に境界を接して載置される。
【００５６】
挿入された状態での第１のコンタクトデバイス３５の外側ハウジング５５に対する第１のコンタクトデバイス３５の内側ハウジング５０の軸方向位置を保証するために、第１のコンタクトデバイス３５の外側ハウジング５５は、更に第１の担持表面２６５を備えることができ、内側ハウジング５０は、第２の担持表面２７０と緊張付与手段２７５とを備えることができる。第１の担持表面２６５および第２の担持表面２７０は、この場合、円錐状に並べられ、および／またはｘ軸に向かって斜めに延びる。この場合、ｘ軸に対する担持表面２６５、２７０の傾きは、数度という小ささで十分である。この実施形態では担持表面２６５、２７０は、例として、長手方向において第１の封止要素６０と第２の封止要素６５との間に配置される。緊張付与手段２７５を形成するために、内側ハウジング５０は、第２のハウジング部分１５０の外側に肉厚部２８０を有する。
肉厚部２８０は、この場合、長手方向において第２のウエブ１５６と第１の肩部１６０との間に配置される。肉厚部２８０は例として、第２のウエブ１５６を第１の肩部１６０に接続する。第２の担持表面２７０は、緊張付与手段２７５の外側に配置される。
【００５７】
第１のコンタクトデバイス３５の内側ハウジング５０を第１のコンタクトデバイス３５の外側ハウジング５５に挿入すると、緊張付与手段２７５は、担持表面２６５、２７０が斜めに整列されていることにより、弾性的に横断方向に緊張付与される。端部位置において、緊張付与手段２７５は、第２の担持表面２７０を、横断方向外向きに第１の担持表面２６５上へと予張力ＦＳで押し、これにより、望ましくない引き出し、たとえばコンタクトシステム１０の場合、第１のコンタクトデバイス３５の内側ハウジング５０が第１のコンタクトデバイス３５の外側ハウジング５５から外れることが、保証される。更に、緊張付与手段２７５によって、第１のコンタクトデバイス３５の迅速な組み付けという選択肢が保証される。
更に、緊張付与手段２７５および担持表面２６５、２７０が、長手方向において第１の封止要素６０と第２の封止要素６５との間に配置されることによって、環境２４５から、第２の封止要素６５が第２の内部空間１０５を確実に封止できること、および、第１の封止要素６０が第１の内部空間８０を確実に封止できることが、保証される。
【００５８】
図５は、図４に示す切断面Ａ−Ａに沿った、コンタクトシステム１０を通る断面図である。
【００５９】
この実施形態では、封止要素６０、６５は好ましくはエラストマー製である。第２の封止要素６５は、各コンタクト素子４５、３４５のそれぞれに対する通し孔２３０を有する。通し孔２３０は、通し孔２３０を通して案内される接続部１００の幾何学的構成に対応するように選択される。
【００６０】
更に、第２の封止要素６５は、第２の内部空間１０５のコンタクト素子４５、３４５において確実な封止を達成するために、通し孔２３０に少なくとも１つの第１の封止リップ２３５を有し得る。少なくとも１つの第２の封止リップ２４０は、第２の封止要素６５の第２の外周面２３６に設けられる。この場合、第２の封止リップ２４０は、第２の封止レセプタクル１７５の第１の内周面１８０上に載置される。結果として、第２の内部空間１０５は、コンタクトシステム１０の環境２４５から確実に封止される。
【００６１】
例として、第１のコンタクトデバイス３５は更に、ガイド手段２５０を有する。ガイド手段２５０は、長手方向に延在するガイドレール２５５と、長手方向に延在するガイドレセプタクル２６０と、を有する。ガイドレール２５５とガイドレセプタクル２６０は互いに係合する。ガイドレセプタクル２６０は、たとえば第２のハウジング部分１５０の外側に配置される。ガイドレール２５５は、第２の外側ハウジング部分２１０の内側に配置される。ガイド手段２５０により、第１のコンタクトデバイス３５の内側ハウジング５０を第１のコンタクトデバイス３５の外側ハウジング５５に挿入したときに、第１のコンタクトデバイス３５の内側ハウジング５０が斜めにならず、第１のハウジング部分１４５をレセプタクル２２０内に係合することによって定められる、その端部位置まで挿入可能となることが、保証される。
当然ながら、ガイドレセプタクル２６０を、第１のコンタクトデバイス３５の外側ハウジング５５の内側に、および、ガイドレール２５５を、第１のコンタクトデバイス３５の内側ハウジング５０の外側に、配置することもできる。
【００６２】
図６は、図４に示す切断面Ｂ−Ｂに沿った、図４に示すコンタクトシステム１０を通る断面図である。
【００６３】
第１のコンタクト固定手段２８５は、第１のピン２９０と第１の凹部２９５とを備える。更に、第１のコンタクト素子４５の固定部１２０の外側に、円周方向周縁の溝形状の第２の凹部３１０が配置される。
【００６４】
第１の凹部２９５は、内側ハウジング５０内に配置される。この実施形態では、第１のコンタクト素子４５のある各ｘｙ平面のそれぞれに対して、第１のコンタクト固定手段２８５が提供される。ｚ方向においてずらされて配置される、第１のコンタクト素子４５を有する２つのｘｙ平面のそれぞれを通って、第１のコンタクトデバイス３５はそれぞれ、ｚ方向において互いに反対側に配置される２つの第１のコンタクト固定手段２８５を有する。
【００６５】
第１のピン２９０は、第１の保持部３００と第１の係合部３０５とを有する。第１の保持部３００は、横断方向において、第１の凹部２９５および第１の係合部３０５よりも幅広く形成される。第１の係合部３０５は、第１の凹部２９５および第２の凹部３１０に少なくとも部分的に対応して形成される。第２の係合部３３０はこの場合、第１の係合部３０５が第１の保持部３００から第１の係合部３０５の自由端までテーパするように形成される。好ましくは、第１の係合部３０５の外形の一部は、この場合、円形の経路上に延びるように形成される。第１の係合部３０５は、第１の凹部２９５および第２の凹部３１０の両方を通って係合し、これにより第１のコンタクト素子４５を内側ハウジング５０内に固定する。
【００６６】
ここで、第１のピン２９０がたとえばＴ字形状の構成を有し、これにより、第１の係合部３０５が、２つの異なる第２の内部空間部１１５内に横に並んで隣接して配置された２つのコンタクト素子４５、３４５内に係合でき、第１の凹部２９５内で傾斜しないように確実に同時に取り付けられれば、特に有利である。
【００６７】
更に、第１の保持部３００が横断方向において第１の凹部２９５よりも幅広く形成されており、これにより第１のピン２９０が第１の凹部２９５内へと摺動するのを防止するようになっていれば、有利である。
【００６８】
更に、コード化手段３１１を設けることができ、コード化手段３１１は長手方向に延在するコード化レール３１２とコード化レセプタクル３１３とを有し、コード化レール３１２は例として、第２のコンタクトデバイス４０の外側ハウジング５６の外側に配置される。コード化レセプタクル３１３は例として、第１のコンタクトデバイス３５の外側ハウジング５５の内側に配置される。コード化レール３１２は、コード化レセプタクル３１３内に係合するように、および第２のコンタクトデバイス４０の外側ハウジング５６を導くように、形成される。コード化レール３１２およびコード化レセプタクル３１３は、第２のコンタクトデバイス４０を単一の位置においてしか第１のコンタクトデバイス３５内に組み込むことができないように配置される。このことは、たとえば、コード化レール３１２およびコード化レセプタクル３１３の形状によって、または、コード化手段３１１が外側ハウジング５５、５６において中心を外して配置されることよって、保証される。
【００６９】
図７は、図１から図３に示すコンタクトシステム１０の第２の切断図を示す。
【００７０】
第２のコンタクトデバイス４０は実質的に、図１から図６に記載する第１のコンタクトデバイス３５の変形として形成される。異なる点として（ｂｙ  ｄｅｒｏｇａｔｉｏｎ）、第２のコンタクトデバイス４０では、第１のコンタクト固定手段２８５の代わりに、第２のコンタクト固定手段３１５が提供される。同様に、第２のコンタクト素子３４５を固定するために、例として、ｚ方向において互いに反対側に配置される、２つの第２のコンタクト固定手段３１５が各々設けられる。
【００７１】
第２のコンタクト固定手段３１５は、長手方向において、第１のコンタクトデバイス３５の内側ハウジング５０と第２のコンタクトデバイス４０の内側ハウジング５１との間に配置される。
【００７２】
第２のコンタクトデバイス４０が第１のコンタクトデバイス３５から意図せず外れることを回避するために、コンタクトシステム１０は更に、ラッチングデバイス３６５を有する。ラッチングデバイス３６５は例として、第１のコンタクトデバイス３５の外側ハウジング５５に設けられるラッチングクランプ３７０と、第２のコンタクトデバイス４０の外側ハウジング５６に設けられる掛止ラグ３７５と、を有し、掛止ラグ３７５は、組み付けられた状態においてラッチングクランプ３７０のラッチングレセプタクル３８０内に係合し、第１のコンタクトデバイス３５から第２のコンタクトデバイス４０が意図せず外れるのを防止する。
【００７３】
図８は、図７に示す切断面Ｃ−Ｃに沿った、第２のコンタクトデバイス４０を通る断面を示す。
【００７４】
第２のコンタクト固定手段３１５は第１のコンタクト固定手段２８５と同様に形成され、第２の保持部３２６と、第２の係合部３３０と、第３の凹部３３５と、第４の凹部３２０と、を有する、第２のピン３２７を有する。第４の凹部３２０は、第１のコンタクトデバイス３５の内側ハウジング５０および第２のコンタクトデバイス４０の内側ハウジング５１の両方によって画定されている。
【００７５】
第２の係合部３３０は第２の保持部３２６に接続される。第２の保持部３２６は、第２の係合部３３０の外側に配置される。第２の係合部３３０は、長手方向において第３の凹部３３５に境界を接して配置される。
【００７６】
更に、固定部１２０において、第２のコンタクト素子３４５は、第２のコンタクト素子３４５に第２の凹部３１０を画定している、カラー３４０を有する。カラー３４０は、第２のコンタクト素子３４５の固定部１２０の自由端に配置され、第２のコンタクト素子３４５の円周に沿って周縁方向に形成される。
【００７７】
固定部１２０のカラー３４０は、第２のピン３２７の第３の凹部３３５内に係合する。第２の係合部３３０は、第２のコンタクト素子３４５の第２の凹部３１０内および第４の凹部３２０内に係合する。
【００７８】
第２のコンタクト固定手段３１５は、ラッチング接続部３８５によって、第２のコンタクトデバイス４０の内側ハウジング５１に接続される。ラッチング接続部３８５は、定められた端部において第２のコンタクトデバイス４０の内側ハウジング５１の内側に取り付けられる、ばね部３９０を有する。ばね部３９０はｙｚ平面内に延在する。互いに反対側に配置される２つのばね部３９０が共通のｙｚ平面内に設けられるのが好ましく、この場合、第２のピン３２７はばね部３９０同士の間に配置される。
【００７９】
ばね部３９０は好ましくは、第２のピン３２７に面する側に、複数の第５の凹部３９５を有する。第２のコンタクト固定手段３１５は、第２の保持部３２６の第４の側面４００に、更なる掛止ラグ４０５を有する。更なる掛止ラグ４０５は、第５の凹部３９５に対応して形成される。組み付けについては、第２のコンタクト固定手段３１５が外側から横方向にばね部３９０同士の間に横断方向に押し込まれ、この結果、第２の係合部３３０が第２の凹部３１０および第４の凹部３２０内に係合するようになっている。更に、第１の係合部３０５は第３の凹部３３５内に係合する。更に、更なる掛止ラグ４０５は、第５の凹部３９５内にラッチングし、第２のピン３２７を第４の凹部３２０内に固定する。
【００８０】
第２のコンタクト固定手段３１５により、第１のコンタクトデバイス３５の内側ハウジング５０と第２のコンタクトデバイス４０の内側ハウジング５１との間に所定の距離を定めることもでき、第２のコンタクトデバイス４０の内側ハウジング５１内での第２のコンタクト素子３４５の位置を同時に定めることができる。
【００８１】
上述したコンタクトシステム１０の構成は、第１の内部空間８０および第２の内部空間１０５をコンタクトシステム１０の環境２４５から確実に封止する、特にコンパクトなコンタクトシステム１０を形成できるという利点を有する。このようにして、電気コンタクトの領域内でのコンタクト素子４５、３４５の腐食の、確実な防止が保証される。更に、この結果として、コンタクトシステム１０の信頼性および長い耐久性が保証される。
【００８２】
封止要素６０、６５をずらして配置することとガイド手段２５０とを組み合わせることにより、第２のコンタクトデバイス４０を第１のコンタクトデバイス３５に挿入したときに、第２のコンタクトデバイス４０の外側ハウジング５６が第１のコンタクトデバイス３５に対して傾斜するのが回避される。この結果、第２のコンタクトデバイス４０の外側ハウジング５６による封止要素６０、６５の損傷または封止要素６０、６５の破壊が、適宜、確実に回避され、したがって、内部空間８０、１０５からのあり得るどのような漏れも回避される。封止要素６０、６５のずらされた配置により、コンタクトシステム１０の複数回の確実な挿入および取り外し、ならびに確実な非浸透性もまた、保証される。
【００８３】
第１のコンタクトデバイス３５および第２のコンタクトデバイス４０は、特に容易に組み付けることができる。このことはたとえば、第１の方法ステップにおいて、第１のコンタクトデバイス３５を、外側ハウジング５５を第１の導電体１５に沿って摺動させることによって組み付ける、という形で実行できる。
【００８４】
第２の組み付けステップでは、封止要素６０、６５は、第１のコンタクトデバイス３５の内側ハウジング５０の、それぞれに関連付けられた封止レセプタクル１４０、１７５に挿入される。
【００８５】
この結果、第３の組み付けステップでは、第１のコンタクト素子４５がそれぞれに関連付けられた第２の内部空間部１１５に挿入される。
【００８６】
第４の組み付けステップでは、第１の保持部３００が第１のコンタクトデバイス３５の内側ハウジング５０の外面上に載置され、第１の係合部３０５が第１のコンタクト素子４５の第２の凹部３１０内に係合するまで、第１のピン２９０が第１の凹部２９５内に導入される、という形で、第１のコンタクト固定手段２８５が組み付けられる。結果として、第１のコンタクトデバイス３５の内側ハウジング５０に対する第１のコンタクト素子４５の長手方向の位置を、確実に確定できる。ここで、第１のピン２９０を第１の凹部２９５に挿入したときに、第１のピン２９０が第１の凹部２９５内で挟持されれば、特に有利である。
【００８７】
第５の組み付けステップでは、第１のコンタクトデバイス３５の内側ハウジング５０の第１のハウジング部分１４５が第１のコンタクトデバイス３５の外側ハウジング５５のレセプタクル２２０内に係合し、担持表面２６５、２７０が緊張付与手段２７５によって緊張付与されるまで、第１のコンタクトデバイス３５の外側ハウジング５５が、第１のコンタクトデバイス３５の内側ハウジング５０に沿って摺動される。
【００８８】
更に、第１のコンタクトデバイス３５の外側ハウジング５５を第１のコンタクトデバイス３５の内側ハウジング５０上に重ねることによって、第１のピン２９０が第１の凹部２９５から望まずに外れることを、確実に回避することができる。この場合、第１の保持部３００の垂直方向の幅ａが、内側ハウジング５０と第２のコンタクトデバイス４０の外側ハウジング５６との間の距離ａ１に実質的に一致していれば、特に有利である。
【００８９】
第２のコンタクトデバイス４０の組み付けは、第１のコンタクトデバイス３５の組み付けと実質的に同一に行われる。異なる点として、第４の組み付けステップでは、組み付けられラッチングされるのは、第１のコンタクト固定手段２８５ではなく、図８に記載するような第２のコンタクト固定手段３１５である。
【００９０】
コンタクトシステム１０の全体的な組み付けの間に、第２のコンタクトデバイス４０の外側ハウジング５６のハウジング係合部７６が、第１のコンタクトデバイス３５の内側ハウジング５０と第１のコンタクトデバイス３５の外側ハウジング５５との間に挿入され、この結果、第１の封止要素６０がハウジング係合部７６の内面上に載置され、第１の内部空間８０を封止するようになっている。更に、コンタクト素子４５、３４５は互いに係合し、電気コンタクトを形成する。
【００９１】
図１から図８に記載したコンタクトシステム１０の構成は例示的なものであることが留意される。当然ながら、コンタクトシステム１０が上述したものと異なって形成されることも考えられる。個々の特徴を省略できることまたは追加の特徴を付与できることも考えられるが、上記の特徴によってコンタクトシステム１０の働きが何ら変わることはない。
【図１】
0006829317.tif 000002
【図２】
0006829317.tif 000003
【図３】
0006829317.tif 000004
【図４】
0006829317.tif 000005
【図５】
0006829317.tif 000006
【図６】
0006829317.tif 000007
【図７】
0006829317.tif 000008
【図８】
0006829317.tif 000009